(57)【要約】  フレームフロントと、２つの蔓（３）とを備え、前記蔓（３）は、前記フレームフロントに対して前記蔓（３）を広げる、または、畳むために各主旋回軸（７）の周りを旋回し、且つ、前記主軸（７）の周りを旋回するための位置において前記蔓（３）を前記フレームフロントに取り付けるために各補助旋回軸（９）の周りも旋回し、前記フレームフロントまたは前記蔓（３）に留められたナックル（１１）は、前記蔓（３）または前記フレームフロントにそれぞれ形成された対応する開口部（２１）へ挿入される眼鏡フレーム。本発明によると、２つの旋回ヘッド（１３）は、前記蔓（３）または前記フレームフロントに形成された前記開口部（２１）へ突出し、各ナックル（１１）は、前記補助旋回軸（９）の周りに２つのカム経路（１８）を有し、前記旋回ヘッド（１３）は、前記対応する蔓の補助旋回（９）中に、前記開口部（２１）、前記旋回ヘッド（１３）、または前記ナックル（１１）の変形に対する圧縮力を前記カム経路（１８）にかけ、前記２つのカム経路（１８）は、前記主旋回軸（７）に沿って延びる２つの受入部（１２）により規定され、前記旋回ヘッド（１３）は、前記主軸（７）の周りを旋回する場合に圧縮力を維持するために、前記受入部（１２）へ挿入されることを特徴とする眼鏡フレーム。【選択図】図６
2013541739.tif 000002
【特許請求の範囲】
【請求項１】
フレームフロント（１）と、
２つの蔓（３）とを備え、
前記蔓（３）は、前記フレームフロント（１）に対して前記蔓（３）を広げる、または、畳むために各主旋回軸（７）の周りを旋回し、且つ、前記主軸（７）の周りを旋回するための位置において前記蔓（３）を前記フレームフロント（１）に取り付けるために各補助旋回軸（９）の周りも旋回し、
前記フレームフロント（１）または前記蔓（３）に留められたナックル（１１）は、前記蔓（３）または前記フレームフロント（１）にそれぞれ形成された対応する開口部（２１）へ挿入される眼鏡フレームであって、
２つの旋回ヘッド（１３）は、前記蔓（３）または前記フレームフロント（１）に形成された前記開口部（２１）へ突出し、
各ナックル（１１）は、前記補助旋回軸（９）の周りに２つのカム経路（１８，３２，３４）を有し、
前記旋回ヘッド（１３）は、前記対応する蔓の補助旋回（９）中に、前記開口部（２１）、前記旋回ヘッド（１３）、または前記ナックル（１１）の変形に対する圧縮力を前記カム経路（１８，３２，３４）にかけ、
前記２つのカム経路（１８，３２，３４）は、前記主旋回軸（７）に沿って延びる２つの受入部（１２）により規定され、
前記旋回ヘッド（１３）は、前記主軸（７）の周りを旋回する場合に圧縮力を維持するために、前記受入部（１２）へ挿入されることを特徴とする眼鏡フレーム。
【請求項２】
フレームフロント（１）と、
２つの蔓（３）とを備え、
前記蔓（３）は、前記フレームフロント（１）に対して前記蔓（３）を広げる、または、畳むために各主旋回軸（７）の周りを旋回し、且つ、前記主軸（７）の周りを旋回するための位置において前記蔓（３）を前記フレームフロント（１）に取り付けるために各補助旋回軸（９）の周りも旋回し、
前記フレームフロント（１）または前記蔓（３）に留められたナックル（１１）は、前記蔓（３）または前記フレームフロント（１）にそれぞれ形成された対応する開口部（２１）へ挿入される眼鏡フレームであって、
２つの旋回ヘッド（１３）は、各ナックル（１１）から突出し、
前記対応する開口部（２１）は、前記補助旋回軸（９）の周りに２つのカム経路（１８）を有し、
前記旋回ヘッド（１３）は、前記対応する蔓の補助旋回（９）中に、前記開口部（２１）、前記旋回ヘッド（１３）、または前記ナックル（１１）の変形に対する圧縮力を前記カム経路（１８）にかけ、
前記２つのカム経路（１８）は、前記主旋回軸（７）に沿って延びる２つの受入部（１２）により規定され、
前記旋回ヘッド（１３）は、前記主軸（７）の周りを旋回する場合に圧縮力を維持するために、前記受入部（１２）へ挿入されることを特徴とする眼鏡フレーム。
【請求項３】
請求項１または２に記載の眼鏡フレームにおいて、
前記２つのカム経路（１８）は、前記補助旋回軸（９）の周りの楕円形の輪郭を規定することを特徴とする眼鏡フレーム。
【請求項４】
請求項１または２に記載の眼鏡フレームにおいて、
前記２つのカム経路の各々は、円弧（３２）と平面（３４）とを規定することを特徴とする眼鏡フレーム。
【請求項５】
請求項１または２に記載の眼鏡フレームにおいて、
前記蔓（３）または前記フレームフロント（１）は、前記カム経路（１８，３２，３４）に対する前記旋回ヘッド（１３）からの圧縮力に応じて前記開口部（２１）が変形するのを可能にするくり抜き部（２３）有することを特徴とする眼鏡フレーム。
【請求項６】
請求項１または２に記載の眼鏡フレームにおいて、
前記旋回ヘッド（１３）は、前記蔓（３）または前記フレームフロント（１）におけるそれぞれ前記ナックル（１１）に受け入れられるバネ（２５）に取り付けられており、
前記バネは、それぞれ前記開口部（２１）または前記ナックル（１１）の前記カム経路（１８，３２，３４）に前記旋回ヘッド（１３）により加えられる圧縮力に応じて変形することを特徴とする眼鏡フレーム。
【請求項７】
請求項１または２に記載の眼鏡フレームにおいて、
前記ナックル（１１）は、前記旋回ヘッド（１３）により前記カム経路（１８，３２，３４）にかけられる前記圧縮力に応じて閉じるくり抜き部（２７）を有することを特徴とする眼鏡フレーム。
【請求項８】
請求項１に記載の眼鏡フレームにおいて、
各ナックル（１１）には、前記蔓（３）が前記主旋回軸（７）に沿って延びる前記受入部（１２）に挿入されるとき、前記対応する蔓（３）が前記補助旋回軸（９）の周りを旋回するのを防止する隣接部（２９）が設けられていることを特徴とする眼鏡フレーム。
【請求項９】
請求項１または２に記載の眼鏡フレームにおいて、
各ナックル（１１）または開口部（２１）は、前記旋回ヘッド（１３）を前記カム経路（１８）へアクセスさせる２つの受入部（１４）を備え、
前記受入部は、前記２つの旋回ヘッド（１３）から間隔があいている、または、前記受入部には、前記補助軸（９）の周りを旋回する前に、前記２つの旋回ヘッド（１３）から間隔を開けるために各溝（１５）が設けられていることを特徴とする眼鏡フレーム。
【請求項１０】
請求項９に記載の眼鏡フレームにおいて、
前記アクセス受入部（１４）には、前記蔓（３）を前記ナックル（１１）に保持するためのキャッチを形成するそれぞれ水平突出部（２０）が設けられていることを特徴とする眼鏡フレーム。
【請求項１１】
請求項１または２に記載の眼鏡フレームにおいて、
前記開口部（２１）は、前記蔓（３）またはフレームフロント（１）に一致する別個の部品（３３）に形成されていることを特徴とする眼鏡フレーム。
【発明の詳細な説明】
【技術分野】
【０００１】
本発明は、フレームフロントと、２つの蔓すなわち「テンプル」とを備え、２つの蔓は、フレームフロントに対して蔓を広げるまたは畳むために各主旋回軸の周りを旋回し、且つ、主軸の周りを旋回するための位置においてフレームフロントに蔓を取り付けるために各補助旋回軸の周りを旋回する眼鏡フレームに関する。
【背景技術】
【０００２】
仏国特許第２８３１６７７号明細書に開示されたこの種の眼鏡フレームにおいて、球状のヒンジナックルが、蔓に留められ、ナックルに対して相補的な形状の軸受表面が設けられたフレームフロントの末端部へ旋回可能に挿入される。ナックルは、接続部品によって端末部内に保持され、該接続部品は、球状のナックルのための受入部と、蔓の長手方向に一致する接続部品の軸の周りを補助旋回することにより末端部に係合する２つの締結スタッドとを備えている。
【０００３】
国際公開第２００８／１２９３５５号に開示されたこの種の眼鏡フレームにおいて、各蔓に留められたナックルが、主旋回軸を規定する２つの旋回ヘッドと、補助旋回軸を規定する円形部分とを有している。ナックルは、フレームフロントにおける開口部へ挿入されて対応する蔓が補助軸の周りを旋回できるようにする。この構造により、蔓を取り換えること、それゆえ、使用者による組み立てのための正面と蔓との様々な組み合わせを提供することが簡単になる。
【０００４】
この文献によると、旋回ヘッドは、蔓の端部から突出し、フレームフロントにおける開口部に形成された突起に対して圧縮力をかける。
【発明の概要】
【発明が解決しようとする課題】
【０００５】
本発明は、フレームフロントへの蔓の取り付けの制御性が高まるように、且つ、信頼性に寄与するように、異なる方法で圧縮力をかけるために、このような眼鏡フレームを改良しようとするものである。
【課題を解決するための手段】
【０００６】
このため、本発明は、フレームフロントと、２つの蔓とを備え、前記蔓は、前記フレームフロントに対して前記蔓を広げる、または、畳むために各主旋回軸の周りを旋回し、且つ、前記主軸の周りを旋回するための位置において前記蔓を前記フレームフロントに取り付けるために各補助旋回軸の周りも旋回し、前記フレームフロントまたは前記蔓に留められたナックルは、前記蔓または前記フレームフロントにそれぞれ形成された対応する開口部へ挿入される眼鏡フレームであって、２つの旋回ヘッドは、前記蔓または前記フレームフロントに形成された前記開口部へ突出し、各ナックルは、前記補助旋回軸の周りに２つのカム経路を有し、前記旋回ヘッドは、前記対応する蔓の補助旋回中に、前記開口部、前記旋回ヘッド、または前記ナックルの変形に対する圧縮力を前記カム経路にかけ、前記２つのカム経路は、前記主旋回軸に沿って延びる２つの受入部により規定され、前記旋回ヘッドは、前記主軸の周りを旋回する場合に圧縮力を維持するために、前記受入部へ挿入されることを特徴とする眼鏡フレームを提供する。
【０００７】
本発明のこの形態において、カム経路の好ましくは楕円形の輪郭は、蔓がそれらの補助軸の周りを旋回する際に、圧縮力を制御する。他の形態において、制御は、円弧と平面とをそれぞれ定義する２つのカム経路によって行われる。主旋回軸に沿って延びる２つの受入部の間の距離により、蔓が主軸の周りを旋回している間の圧縮力を決定することができる。圧縮力を維持することにより、蔓が規定の規模の弾性締付けをナックルへ確実に伝え、フレームフロントへの蔓の取り付けは信頼性があり緩みが無いことが保証される。
【０００８】
本発明は、上記前提構成と、以下の特徴、すなわち、２つの旋回ヘッドは、各ナックルから突出し、前記対応する開口部は、前記補助旋回軸の周りに２つのカム経路を有し、前記旋回ヘッドは、前記対応する蔓の補助旋回中に、前記開口部、前記旋回ヘッド、または前記ナックルの変形に対する圧縮力を前記カム経路にかけ、前記２つのカム経路は、前記主旋回軸に沿って延びる２つの受入部により規定され、前記旋回ヘッドは、前記主軸の周りを旋回する場合に圧縮力を維持するために、前記受入部へ挿入される、という特徴とを有する眼鏡フレームも提供する。
【０００９】
本発明のこの形態により、各蔓またはフレームフロントに形成された開口部とフレームフロントまたは蔓の各々にそれぞれ留められたナックルとの間で機能的交換が実現される。
【００１０】
本発明のこれらの形態の第１変形例において、蔓またはフレームフロントは、旋回ヘッドによりカム経路に対してかけられる圧縮力に応じて開口部の変形を可能にするくり抜き部を備えている。
【００１１】
本発明の第２変形例において、旋回ヘッドは、蔓またはフレームフロントにおいてそれぞれナックルに受け入れられるバネに取り付けられており、これらのバネは、旋回ヘッドにより開口部またはナックルのカム経路にかけられる圧縮力に応じてそれぞれ変形する。
【００１２】
本発明の第３変形例において、ナックルは、旋回ヘッドによりカム経路にかけられる圧縮力に応じて閉じるくり抜き部を有している
本発明の第４変形例において、ナックルには、蔓がそれらの主旋回軸の周りを旋回する位置に在るとき、対応する蔓が補助旋回軸の周りを旋回するのを防止する隣接部が設けられている。
【００１３】
本発明の他の利点は、図面に示す実施形態の説明に照らして明らかになる。
【図面の簡単な説明】
【００１４】
【図１】本発明の第１実施形態の第１変形例における蔓の正面図である。
【図２】本発明の第１変形例のナックルの正面図である。
【図３】図２のナックルの平面図である。
【図４】図２のナックルの側面図である。
【図５】本発明の第１変形例における蔓およびナックルの正面図であり、蔓が補助旋回軸の周りの初期位置に在る正面図である。
【図６】図５に示す蔓およびナックルの正面図であって、蔓が補助旋回軸の周りの中間位置に在る正面図である。
【図７】図５の蔓およびナックルの正面図あって、蔓が主軸の周りを旋回する位置に在る正面図である。
【図８】図７の蔓およびナックルの平面図であって、蔓が、主旋回軸の周りにおいてフレームフロントに対して広げられた位置、および、畳まれた位置に連続して在る平面図である。
【図９】本発明の第２変形例の蔓の正面図である。
【図１０】本発明の第２変形例の蔓およびナックルの正面図あって、蔓が補助旋回軸の周りの初期位置に在る正面図である。
【図１１】図１０の蔓およびナックルの正面図あって、蔓が補助旋回軸の周りの中間位置に在る正面図である。
【図１２】図１０の蔓およびナックルの正面図あって、蔓が主軸の周りを回転する位置に在る正面図である。
【図１３】本発明の第３変形例におけるナックルの正面図である。
【図１４】図１３のナックルの平面図である。
【図１５】図１３のナックルの側面図である。
【図１６】本発明の第３変形例の蔓およびナックルの正面図あって、蔓が補助旋回軸の周りの初期位置に在る正面図である。
【図１７】図１６の蔓およびナックルの正面図あって、蔓が補助旋回軸の周りの中間位置に在る正面図である。
【図１８】図１６の蔓およびナックルの正面図あって、蔓が主軸の周りを旋回する位置に在る正面図である。
【図１９】本発明の第４変形例におけるナックルの正面図である。
【図２０】図１９のナックルの平面図である。
【図２１】図１９のナックルの側面図である。
【図２２】第１実施形態の一変形例における蔓およびナックルの断面図である。
【図２３】本発明の第２実施形態の第１変形例におけるナックルの斜視図である。
【図２４】図２３のナックルの断面図である。
【図２５】本発明の第２実施形態の第２変形例におけるナックルの斜視図である。
【図２６】図２５のナックルの断面図である。
【図２７】一変形例の蔓の正面図である。
【図２８】マスク形フレームフロントを含む眼鏡フレームの平面図である。
【図２９】図２８の正面図である。
【図３０】本発明の第３実施形態における蔓の正面図である。
【図３１】図３０の右手側の図である。
【図３２】図３０の平面図である。
【図３３】本発明の第３実施形態におけるナックルの正面図である。
【図３４】図３３のナックルの平面図である。
【図３５】図３３のナックルの側面図である。
【図３６】本発明の第３実施形態の蔓およびナックルの正面図であって、蔓が補助旋回軸の周りの初期位置に在る正面図である。
【図３７】図３６の蔓およびナックルの正面図であって、蔓が補助旋回軸の周りの中間位置に在る正面図である。
【図３８】図５の蔓よびナックルの正面図であって、蔓は、主軸の周りを旋回する位置に在る正面図である。
【図３９】図７の蔓およびナックルの平面図であって、蔓が、主旋回軸の周りにおいてフレームフロントに対して広げられた位置、および、畳まれた位置に連続して在る平面図である。
【発明を実施するための形態】
【００１５】
図１において、眼鏡フレームの蔓３は、開口部２１へ突出する２つの旋回ヘッド１３を備えている。図２〜図４において、ナックル１１は、互いに対して垂直な主旋回軸７と補助旋回軸９とを有している。図８においてより明瞭に見ることができるフレーム末端部１に、ブリッジ１０によって、ナックル１１を留めることができる。ナックル１１に形成されたカム１９には、補助旋回軸９の周りに延びる２つのカム経路１８が設けられている。これらのカム経路１８は、主旋回軸７に沿って延びる２つの受入部１２間に規定されている。これらの例示的図面においては、２つのカム経路１８は、２つの同一の輪郭を有している。しかしながら、カム１９は、輪郭の異なる２つのカム経路１８を備えていることもあり得る。
【００１６】
図４および図５からより明瞭に分かるように、カム１９は、ナックル１１内に、ベース１６と留め具ブリッジ１０の支持部２２との間の補助旋回軸９に対して垂直に形成されている。支持部２２は、カム経路１８に対して突出するエッジ２４を有し、該エッジ２４とナックル１１のベース１６との間で旋回ヘッド１３を誘導する。しかしながら、支持部２２は、突出するエッジを形成せずにカム経路１８の輪郭へ繋がっていてもよい。補助旋回軸９に関連付けられた受入部１４は、ベース１６に２つのくり抜き部を形成して、ナックル１１が蔓３の開口部２１へ挿入される際に、旋回ヘッド１３を２つのカム経路１８へアクセスさせる。
【００１７】
蔓３をフレームフロント１へ取り付ける際に（図５）、２つの旋回ヘッド１３が補助旋回軸９に関連付けられた２つの受入部１４へ挿入される。図６において、蔓３が補助軸９の周りを旋回する場合、２つの旋回ヘッド１３は、カム経路１８の輪郭によって制御される圧縮力をナックル１１へかける。蔓３は、カム１９に対する旋回ヘッド１３の圧縮力に応じて、開口部２１を開くことができるくり抜き部２３を備えている。これらの例示的な図において、くり抜き部２３は、開口部２１へ開いている。しかしながら、閉じたくり抜き部、例えば、長円形のくり抜き部も同様に良好に設けることができるであろう。図７において、主旋回軸７に沿って延びる２つの受入部１２へ２つの旋回ヘッド１３を挿入することで、圧縮力が一部開放され、開口部２１が一部閉じられる。図８において、これは、フレームのフレーム末端部１に対して広げられる３ａ、または、畳まれる３ｂように、主軸７の周りを旋回する位置に在る蔓３に対応する。主旋回軸７は、蔓がフレームフロント１に対して折り畳まれた位置３ｂに在る場合は、外へ向かって、すなわち、蔓３からは離れたナックル１１の側から延びている。
【００１８】
補助軸の周りを旋回中、ナックル１１に対する旋回ヘッド１３の圧縮力は、カム経路１８の輪郭によって制御されている。主旋回軸７に一致する楕円の主軸と旋回ヘッド１３をカム経路１８へアクセスさせる受入部１２の並びに一致する短軸とを備える楕円形の輪郭は、旋回ヘッド１３が主旋回軸７に沿って延びる受入部１２へ挿入されるまで、圧縮力を連続的に上昇させることができる。挿入により、圧縮力は一部開放されるが、その一方で、２つの旋回ヘッド１３によるナックル１１の弾性締付けを確実にするための圧縮力は維持されている。図４において、維持される圧縮力の大きさは、主旋回軸７に沿って延びる２つの受入部１２間の距離Ｄによって決定される。ただし、Ｄは、蔓３における開口部２１へ突出する２つの旋回ヘッド１３間の距離ｄ（図１）よりも大きい。例えば、２つの受入部１２間の距離Ｄは、３．８ミリメートル（ｍｍ）に等しく、一方、２つの旋回ヘッド１３間の距離ｄは、３．６ｍｍに等しい。
【００１９】
本発明の第２変形例において、旋回ヘッド１３（図９）は、受入部２６に受け入れられたバネ２５に取り付けられており、該受入部２６は、蔓３に形成され、開口部２１へ開口している。図１０において、蔓３がフレームフロント１に取り付けられる際に、２つの旋回ヘッド１３は、補助旋回軸９に関連付けられた２つの受入部１４へ挿入される。図１１において、補助軸９の周りを蔓３が旋回する場合、２つの旋回ヘッドは、カム経路１８の輪郭によって制御された圧縮力をナックル１１へかける。それに応じて、旋回ヘッド１３が取り付けられているバネ２５は、それらの巻きが互いに近づくように変形される。図１２において、主旋回軸７に沿って延びる２つの受入部１２へ２つの旋回ヘッド１３を挿入することにより、圧縮力が一部開放され、バネ２５が一部弛緩される。圧縮力は、主旋回軸７に沿って延びる、２つの受入部１２間の距離Ｄ（図４）によって維持される。なお、該距離Ｄは、蔓３に受け入れられ、開口部２１へ開口しているバネ２５に取り付けられる２つの旋回ヘッド１３間の距離ｄ（図９）よりも大きい。
【００２０】
本発明の第３変形例（図１３から図１５）において、ナックル１１は、部品ブリッジ２８によって互いに接続される２つの部分にナックルを分割するくり抜き部２７を有している。図１６において、蔓３がフレームフロント１に取り付けられている間は、２つの旋回ヘッド１３は、補助旋回軸９に関連付けられた２つの受入部１４へ挿入されている。図１７において、蔓３が補助軸９の周りを旋回する場合、２つの旋回ヘッド１３は、カム経路１８の輪郭によって制御された圧縮力をナックル１１にかける。それに応じて、ナックル１１は、部品ブリッジ２８の変形によって閉じる。図１８において、主旋回軸７に沿って延びる２つの受入部１２へ２つの旋回ヘッド１３が挿入されることで、圧縮力が一部開放され、ナックル１１の一部が再び開く。圧縮力は、主旋回軸７に沿って延びる２つの受入部１２間の距離Ｄ（図１５）によって維持される。なお、該距離Ｄは、蔓の開口部２１から突出する２つの旋回ヘッド１３間の距離ｄ（図１６）よりも大きい。
【００２１】
本発明の第４変形例（図１９から図２１）において、ナックル１１には、隣接部２９が設けられており、隣接部２９は、蔓３がそれらの主旋回軸７の周りを旋回する位置に在る場合に、蔓３が補助旋回軸９の周りを旋回するのを阻止する。図２２において、旋回ヘッド１３が主旋回軸７に沿って延びる受入部１２へ挿入される場合、２つの同一の隣接部２９は、カム経路１８を塞いで旋回ヘッド１３の回転動作を防止している。しかしながら、旋回ヘッド１３の回転動作を防止するには単一の隣接部２９で十分であろう。本発明のこの形態は、蔓３が主旋回軸７に沿って延びる受入部１２に挿入される、該蔓３に対応する角度位置を超えて旋回するように強制される場合に、旋回ヘッド１３が外れるリスクを低減する。これにより、蔓３のフレームフロント１への搭載の信頼性が増す。
【００２２】
上記変形例において、旋回ヘッドは、形が半球状であり、主旋回軸に沿って延びる受入部、例えば、旋回ヘッドをカム経路へアクセスさせる受入部は、この形状に一致している。しかしながら、上記受入部および旋回ヘッドは、他の形態を有していてもよい。
【００２３】
図５に示すように、旋回ヘッド１３をカム経路１８へアクセスさせる２つの受入部１４間の距離を、蔓３またはフレームフロント１における開口部２１へ突出する２つの旋回ヘッド１３間の距離ｄに一致するように調節することが好ましい。しかしながら、２つのアクセス受入部１４は、２つの旋回ヘッド１３間の距離ｄよりも近くてもよく、または、蔓３が補助軸９の周りを旋回する場合に、カム経路１８が旋回ヘッド１３によってナックル１１にかけられる圧縮力の量を制御する限り、および、各蔓３がその主軸７の周りを回転している間は、主旋回軸７に沿って延びる２つの受入部１２間の距離Ｄが圧縮力を確実に保持する限り、この距離よりも離れていてもよい。
【００２４】
図２２において、２つのアクセス受入部１４間の距離ｅは、蔓３における開口部２１へ突出する２つの旋回ヘッド間の距離ｄよりも大きい。したがって、２つのアクセス受入部１４には、ナックル１１が蔓３における開口部２１へ挿入されている間、および、補助軸の周りを旋回し始める前に、旋回ヘッド１３から間隔を置くための溝１５が設けられている。この間隔は、補助軸９の周りを旋回し始める前にナックル１１に対する旋回ヘッド１３の圧縮力を生成するために、溝１５により決定される値で維持されてもよい。この構造により、ナックル１１における弾性締付けにより蔓３を保持できる。水平突出部２０も、間隔を、溝１５により決定された値よりも小さな値へ戻すことができ、これにより、弾性締付けは低減し、補助軸９の周りを旋回し始める前にナックル１１における蔓３の保持のための支持キャッチを形成する。
【００２５】
カム経路１８は、蔓が補助旋回軸９の周りを旋回する際に圧縮力を制御するために楕円以外の輪郭を有していてもよい。主旋回軸７に沿って延びる２つの受入部１２間の距離Ｄは、蔓３における開口部２１へ突出する旋回ヘッド間の任意の距離ｄについて、蔓３が主軸７の周りを旋回する際に圧縮力を維持する手段となっている。
【００２６】
図２３および図２４に示すような本発明の第２実施形態において、２つのカムの各々は、円弧３２および平面３４を規定している。主軸７に沿った旋回ヘッド１３を挿入するための受入部１２は、これにより規定される２つの円形のアーチ型のカム経路３２に形成されている。旋回ヘッド１３をカム経路１８へアクセスさせる受入部１４は、平面３４に対向するナックルのベース１６に形成されている。より詳細には、図２３に示すように、円形のアーチ型のカム経路３２が間に延びるベース１６およびエッジ２４には、蔓３がフレームフロント１に対して畳まれた、または、広げられた位置に在る場合に旋回ヘッド１３を受け入れるノッチ３６および３８がそれぞれ設けられている。したがって、ノッチ３６および３８は、これらの２つの位置の各々において蔓を非常に安定させる。
【００２７】
本発明の第２実施形態の一変形例において、図２５および図２６に示すナックルは、旋回ヘッドが主旋回軸７に沿って延びる受入部１２へ挿入されている場合、すなわち、蔓が前記軸の周りを旋回する位置に在る場合に、蔓３が補助軸９の周りを旋回しないようにするために２つの隣接部２９によって円のアーチ型の２つのカム経路３２が閉じられる点が上記ナックルとは異なる。
【００２８】
図２７において、開口部２１および旋回ヘッド１３を、蔓３またはフレームフロント１の対応する受入部３５にぴったりと納められる部品３３に形成することが考えられる。
【００２９】
図２８および図２９において、ナックル１１をフレームフロント自体に直接留めることも考えられる。
【００３０】
本発明の第３実施形態（図３０から図３２）において、眼鏡フレームの蔓３は、補助旋回軸９の周りに２つのカム経路１８が設けられた開口部２１を有している。これらのカム経路は、開口部２１の対称軸でもあるこの旋回軸９に対して同一であり、主旋回軸７に沿って延びる２つの受入部１２により規定されている。図３３から図３５において、ナックル１１は、２つの突出する旋回ヘッド１３を備えている。ブリッジ１０は、ナックル１１を、図３９においてより明瞭に見ることのできるフレーム末端部１に留める機能を果たす。この例示において、２つのカム経路は、ナックル１１の旋回ヘッド１３を誘導するために、開口部２１の周囲３１に沿った蔓の厚みを抉り取った溝またはスロット４１の形態である。補助旋回軸９に関連付けられた受入部１４は、２つのくり抜き部を開口部２１の周囲３１に形成して、ナックル１１が蔓３における開口部２１へ挿入される際に、ナックル１１の旋回ヘッド１３を２つのカム経路１８へアクセスさせる。
【００３１】
フレームフロント１へ蔓３が取り付けられている間（図３６）は、２つの旋回ヘッド１３は、開口部２１の２つの受入部１４へ挿入されている。図３７において、蔓３が補助軸９の周りを旋回する場合、２つの旋回ヘッド１３は、溝またはスロット４１の形態の開口部に形成されたカム経路１８に圧縮力をかける。蔓３は、カム経路１８に対する旋回ヘッド１３の圧縮力に応じて開口部２１の変形を可能にするくり抜き部２３を備えている。図３８において、主旋回軸７に沿って延びる２つの受入部１２へ２つの旋回ヘッド１３を挿入することは、圧縮力を一部開放し、開口部２１を一部元のように閉じる役割を果たす。これは、図３９における、フレームのフレーム末端部１に対して広げる３ａまたは畳む３ｂために主軸７の周りを旋回する位置に在る蔓３に対応する。
【００３２】
補助軸９の周りを旋回中、旋回ヘッド１３の圧縮力は、開口部２１におけるカム経路１８の輪郭によって制御されている。主旋回軸７に一致する楕円の短軸と、旋回ヘッド１３をカム経路１８へアクセスさせる受入部１４の並びに一致する主軸とを有する楕円形の輪郭は、旋回ヘッド１３が主旋回軸７に沿って延びる受入部１２へ挿入されるまで、圧縮力を連続的に上昇させることができる。挿入により圧縮力が一部開放されるが、その一方では、２つの旋回ヘッド１３が開口部２１において弾性的に確実に締め付けられる圧縮力は維持されている。図３０に示すように、圧縮力は、主旋回軸７に沿って延びる２つの受入部１２間の距離ｄ’によって維持されている。なお、距離ｄ’は、ナックル１１の２つの突出する旋回ヘッド１３間の距離Ｄ’（図３３）よりも小さい。
【００３３】
本発明の第１および第２実施形態の様々な変形例を、第３実施形態に適用することができる。より具体的には、開口部２１の周囲３１に沿って形成された２つのカム経路１８は、円弧および平面をそれぞれ規定している。開口部２１は、蔓またはフレームフロントに一致する別個の部品に形成されていてもよい。ナックル１１の旋回ヘッド１３は、ナックル１１内に受け入れられるバネに取り付けられていてもよい。
【００３４】
各蔓またはフレームフロントにおいて形成された開口部２１の閉じた周囲３１により、蔓はナックルの補助軸の周りを旋回することでフレームフロントに取り付けられる必要がある一方で、旋回ヘッドに対する比較的大きな圧縮力が可能となる。ナックルまたは開口部に形成されたカム経路は、蔓が補助軸の周りを旋回している間はこの力を制御する役割を果たし、蔓が主軸の周りを旋回する場合は所定の圧縮力を維持する役割を果たす。
【図１】
2013541739.tif 000003
【図２】
2013541739.tif 000004
【図３】
2013541739.tif 000005
【図４】
2013541739.tif 000006
【図５】
2013541739.tif 000007
【図６】
2013541739.tif 000008
【図７】
2013541739.tif 000009
【図８】
2013541739.tif 000010
【図９】
2013541739.tif 000011
【図１０】
2013541739.tif 000012
【図１１】
2013541739.tif 000013
【図１２】
2013541739.tif 000014
【図１３】
2013541739.tif 000015
【図１４】
2013541739.tif 000016
【図１５】
2013541739.tif 000017
【図１６】
2013541739.tif 000018
【図１７】
2013541739.tif 000019
【図１８】
2013541739.tif 000020
【図１９】
2013541739.tif 000021
【図２０】
2013541739.tif 000022
【図２１】
2013541739.tif 000023
【図２２】
2013541739.tif 000024
【図２３】
2013541739.tif 000025
【図２４】
2013541739.tif 000026
【図２５】
2013541739.tif 000027
【図２６】
2013541739.tif 000028
【図２７】
2013541739.tif 000029
【図２８】
2013541739.tif 000030
【図２９】
2013541739.tif 000031
【図３０】
2013541739.tif 000032
【図３１】
2013541739.tif 000033
【図３２】
2013541739.tif 000034
【図３３】
2013541739.tif 000035
【図３４】
2013541739.tif 000036
【図３５】
2013541739.tif 000037
【図３６】
2013541739.tif 000038
【図３７】
2013541739.tif 000039
【図３８】
2013541739.tif 000040
【図３９】
2013541739.tif 000041
【国際調査報告】
2013541739.tif 000042
2013541739.tif 000043
2013541739.tif 000044
2013541739.tif 000045
2013541739.tif 000046
2013541739.tif 000047